(57)【要約】【課題】ガイドレール１３を物品棚９の下面に密接する状態で簡単に設置出来るようにする。【解決手段】ガイドレール１３は、垂直壁１４と、この垂直壁１４の上下端に連設された、所定間隔をあけて対向する上壁１５、下壁１６とを有し、垂直壁１４には、左右方向に貫通する少なくとも２つのねじ挿通孔１８が形成され、上壁１５は下壁１６に比べて左右幅方向に突出した突出部１５ａを有しており、この突出部１５ａに上下方向に貫通する少なくとも２つのねじ挿通孔１９が形成されている。ガイドレール１３は、突出部１５ａを有する上壁１５を物品棚９の下面に当てた後、ねじ挿通孔１９を通じてねじ２１を物品棚９にねじ嵌めることにより、物品棚９に簡単に取り付けられる。【選択図】  図２
2004180954.tif 000002
【特許請求の範囲】
【請求項１】
前後方向に長い垂直壁と、この垂直壁の上下端に連設された、所定間隔をあけて対向する前後方向に長い上下壁とを有する、上面開放の物品収納器を前後動自在に支持するガイドレールであって、垂直壁には、左右方向に貫通する少なくとも２つのねじ挿通孔が形成され、上下壁のいずれか一方が他方に比べて左右幅方向に突出した突出部を有しており、この突出部に上下方向に貫通する少なくとも２つのねじ挿通孔が形成されている、上面開放の物品収納器を前後動自在に支持するガイドレール。
【発明の詳細な説明】
【０００１】
【発明の属する技術分野】
本発明は上面開放の物品収納器を前後動自在に支持するガイドレールに関する。
【０００２】
【従来の技術】
従来、この種のガイドレールとして以下の如きものは知られている。
前後方向に長い垂直壁と、この垂直壁の上下端に連設された、所定間隔をあけて対向する前後方向に長い上下壁とを有し、垂直壁には左右方向に貫通する少なくとも２つのねじ挿通孔が形成され、上下壁が同一の左右幅を有するものは知られている（参考文献：実用新案登録第３，０３２，７５７号公報）。
前記２本のガイドレールは、相互に対向するようにして、且つ、垂直壁が収納庫の左右側壁に向くようにして位置させられた後、垂直壁に形成されたねじ挿通孔を通じてねじを左右側壁にねじ嵌めることにより、左右側壁に取り付けられる。そして、かご等の物品収納器の上部の左右張出縁が上下壁の間に前後摺動自在に嵌められる。
【０００３】
【従来技術の欠点】
前記従来のガイドレールには以下の如き欠点があった。
収納庫の左右側壁に渡された水平壁（物品棚等）の下面に密接する状態でガイドレールを設置する場合、水平壁がドライバー等の操作の邪魔となって、垂直壁のねじ挿通孔を通じてねじを収納庫の左右側壁にねじ嵌める作業が行ないにくいという欠点があった。
【０００４】
【前記欠点を解消するための手段】
本発明は前記欠点を解消するために以下の如き手段を採用した。
請求項１の発明は、前後方向に長い垂直壁と、この垂直壁の上下端に連設された、所定間隔をあけて対向する前後方向に長い上下壁とを有する、上面開放の物品収納器を前後動自在に支持するガイドレールであって、垂直壁には、左右方向に貫通する少なくとも２つのねじ挿通孔が形成され、上下壁のいずれか一方が他方に比べて左右幅方向に突出した突出部を有しており、この突出部に上下方向に貫通する少なくとも２つのねじ挿通孔が形成されているものである。
【０００５】
【発明の効果】
本発明は前記した如き構成によって以下の如き効果を奏する。
請求項１の発明によれば、突出部を有する上壁又は下壁を収納庫等の水平壁の下面に当てた後、突出部に形成されたねじ挿通孔を通じてねじを水平壁にねじ嵌めることにより、ガイドレールを水平壁に簡単に取り付けることが出来る。即ち、水平壁がドライバー等の操作の邪魔となることがないので、ガイドレールを簡単に収納庫等の水平壁に（水平壁の下面に密接する状態で）取り付けることが出来る。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
部屋１の天井２及び床３に至る高さを有し、部屋１の側壁４に密接する状態で部屋１に設けられた収納庫７の内部に、左右一対の側壁８が所定間隔をあけて配されると共に所要枚の物品棚９が配されている。なお、収納庫７の前部には折れ戸（図示略）が設けられている。
【０００８】
前記左右の側壁８に渡された一番下の物品棚９（以下、単に物品棚９という。）の下方に２つの、上面解放のかご等からなる物品収納器１１が後述するようにして前後動自在に設けられている。
【０００９】
まず、上の段の物品収納器１１の案内機構について説明する。
２本のガイドレール１３が相互に対向するようにして、且つ、物品棚９の下面に密接する状態で設けられている。なお、ガイドレール１３の前後長さ、左右の側壁８の前後長さ及び物品収納器１１の前後長さは、側壁８間の寸法Ｗとほぼ等しくなされている。
【００１０】
前記ガイドレール１３は、前後方向に長い垂直壁１４と、この垂直壁１４の上下端に連設された、所定間隔をあけて対向する前後方向に長い上壁１５、下壁１６とを有している。前記垂直壁１４には、左右方向に貫通する少なくとも２つのねじ挿通孔１８が形成されている。前記上壁１５は、下壁１６に比べて左右幅方向に突出した突出部１５ａ（突出長さが「Ｈ」である）を有しており、この突出部１５ａに上下方向に貫通する少なくとも２つのねじ挿通孔１９が形成されている。
【００１１】
前記ガイドレール１３は、突出部１５ａを有する上壁１５を物品棚９の下面に当てた後、突出部１５ａに形成されたねじ挿通孔１９を通じてねじ２１を物品棚９にねじ嵌めることにより、物品棚９に簡単に取り付けられる。
そして、物品収納器１１の上部の左右張出縁１２が下壁１６の上面に載せられる。このような構成により、物品収納器１１の左右張出縁１２が上壁１５と下壁１６との間で前後動自在となる。
【００１２】
次に、下の段の物品収納器１１の案内機構について説明する。
前記と同一の、２本のガイドレール１３が相互に対向するようにして、以下に詳述する手段により側壁８に取り付けられている。
【００１３】
前記ガイドレール１３は、垂直壁１４を側壁８に当てた後、垂直壁１４に形成されたねじ挿通孔１８を通じてねじ２１を側壁８にねじ嵌めることにより、側壁８に取り付けられる。
【００１４】
【変形例等】
以下に変形例等について説明を加える。
（１）特許請求の範囲におけるねじには、釘・ボルトが含まれる。
（２）ガイドレール１３はアルミニウム等の金属製押出型材が好適であるが、それに限定されない。
（３）図４にガイドレール１３の変形例が示されている。この変形例において、厚肉の垂直壁１４に形成されたねじ挿通孔１８は、ねじ２１の頭が沈み込む凹所２３を有している。
（４）下壁１６に突出部を形成してもよい。この場合、ガイドレール１３を水平壁に取り付ける際には、ガイドレール１３を上下に反転させる。
（５）物品収納器１１はかごに限定されない。また、物品収納器１１（ガイドレール１３）の設置場所は、流し台等の厨房キャビネットの内等任意である。
【図面の簡単な説明】
【図１】本発明の実施の形態を示す簡略正面図である。
【図２】図１のＡ部分の中間省略の拡大図である。
【図３】図１のＢ部分の中間省略の拡大図である。
【図４】ガイドレールの変形例を示す断面図である。
【符号の説明】
１１  物品収納器
１３  ガイドレール
１４  垂直壁
１５  上壁
１５ａ  突出部
１６  下壁
１８  ねじ挿通孔
１９  ねじ挿通孔
【図１】
2004180954.tif 000003
【図２】
2004180954.tif 000004
【図３】
2004180954.tif 000005
【図４】
2004180954.tif 000006